(57)【要約】【課題】装置の小型化が可能で、かつ低コストで組立性の良い画像読取記録装置を提供する。【解決手段】原稿搬送路Ｒ２とシート搬送路Ｒ１の共通の搬送路４９と、画像読取手段２２を保持する保持部材２６との間にヒンジ部を設け、このヒンジ部により画像読取手段２２が共通の搬送路４９から退避可能となるよう保持部材２６を保持する。そして、保持部材２６に設けられた３ヶ所の突起部と、共通の搬送路４９に設けられ、３ヶ所の突起部とそれぞれ係合する係合部とを有した位置決め手段により、原稿画像を読み取る際、画像読取手段２２の共通の搬送路４９に対する位置決めを行う。そして、ヒンジ部を、画像読取手段２２が原稿画像の読み取りが可能な位置に移動する際、保持部材２６が３ヶ所の突起部が係合部にそれぞれ係合するような姿勢となることができるように構成することにより、簡単に画像読取手段２２の位置決めを行うことができるようにする。【選択図】      図１
2004180146.tif 000002
【特許請求の範囲】
【請求項１】
原稿の画像を読み取る画像読取部と、シートに画像を記録する画像記録部と、前記原稿を前記画像読取部に搬送する原稿搬送路と、前記シートを前記画像記録部に搬送するシート搬送路と、前記原稿搬送路と前記シート搬送路の一部をそれぞれ形成する共通の搬送路とを備え、前記共通の搬送路において原稿画像の読み取り及び前記シートへの画像記録を行う画像読取記録装置であって、
前記共通の搬送路に退避可能に設けられ、前記原稿の画像を読み取る前記画像読取部の画像読取手段と、
前記画像読取手段を保持する保持部材と、
前記保持部材と前記共通の搬送路との間に設けられ、前記画像読取手段が前記共通の搬送路から退避可能となるよう該保持部材を保持するヒンジ部と、
前記保持部材及び前記共通の搬送路の一方に設けられた少なくとも３ヶ所の突起部と、前記保持部材及び共通の搬送路の他方に設けられ、前記少なくとも３ヶ所の突起部とそれぞれ係合する係合部とを有し、原稿画像を読み取る際、前記画像読取手段の前記共通の搬送路に対する位置決めを行う位置決め手段と、
を備え、
前記ヒンジ部を、前記画像読取手段が前記原稿画像の読み取りが可能な位置に移動する際、前記保持部材が前記少なくとも３ヶ所の突起部が前記係合部にそれぞれ係合するような姿勢となることができるように構成したことを特徴とする画像読取記録装置。
【請求項２】
前記位置決め手段により前記画像読取手段は、原稿画像を読み取る際、前記共通の搬送路に前記原稿が通過する読取搬送路を形成し、かつ前記原稿画像の読み取りが可能な位置に位置決めされることを特徴とする請求項１記載の画像読取記録装置。
【請求項３】
前記位置決め手段により前記画像読取手段は、前記共通の搬送路の搬送方向の位置決めが行われることを特徴とする請求項１又は２記載の画像読取記録装置。
【請求項４】
前記位置決め手段により前記画像読取手段は、前記共通の搬送路の搬送方向と直交する幅方向の位置決めが行われることを特徴とする請求項１乃至３の何れか１項に記載の画像読取記録装置。
【請求項５】
前記位置決め手段により前記画像読取手段は、前記共通の搬送路の搬送方向の位置決め及び前記共通の搬送路の搬送方向と直交する幅方向の位置決めが行われることを特徴とする請求項１又は２記載の画像読取記録装置。
【請求項６】
前記共通搬送路に、前記シートを前記画像記録部に、或は前記原稿を前記画像読取部に給送する共通の給送手段と、前記原稿或はシートを排出する共通の排紙手段とを配したことを特徴とする請求項１乃至５のいずれか１項に記載の画像読取記録装置。
【請求項７】
前記共通の搬送路に設けられ、前記シートに画像を記録する際には、前記画像記録部を通過するシートを支持する支持部材を備え、
前記支持部材に前記突起部、或は係合部を設けたことを特徴とする請求項１乃至６のいずれか１項に記載の画像読取記録装置。
【請求項８】
前記画像記録部は、インクを吐出しながらシート搬送方向と直交する方向に移動して前記シートに画像を記録するインクジェット方式の画像記録手段を備えたものであることを特徴とする請求項１乃至７のいずれか１項に記載の画像読取記録装置。
【発明の詳細な説明】
【０００１】
【発明の属する技術分野】
本発明は、原稿の画像を読み取る画像読取部と、シートに画像を記録する画像記録部とを一体的に備えた画像読取記録装置に関し、原稿を画像読取部に搬送する原稿搬送路と、シートを画像記録部に搬送するシート搬送路の一部を共通の搬送路により形成するようにしたものに関する。
【０００２】
【従来の技術】
従来、原稿の画像を読取る画像読取部と記録媒体であるシートに画像を記録（形成）する画像記録部とを一体的に備えた画像読取記録装置があり、このような画像読取記録装置としては、例えばファクシミリ装置がある。
【０００３】
図１４は、このような従来のファクシミリ装置の一例であるインクジェット記録方式によりシートに画像を記録するようにしたファクシミリ装置の概略構成を示す図であり、このファクシミリ装置においては、シートである記録紙３０１に画像を記録する場合は、まず記録紙保持部材３０３に載置された記録紙３０１を記録紙給紙ローラ３０４と不図示の分離機構とにより１枚ずつ分離して送り出した後、給送ローラ３０５によって画像記録部３０６へ搬送する。
【０００４】
次に、この画像記録部３０６において不図示の画像記録手段であるインクカートリッジを走査方向に移動させながらインクを吐出することにより、記録紙上に画像が記録される。そして、このように画像が記録された後、記録紙３０１は、排紙ローラ３０７により矢印Ｂに示すように装置外へ排出される。
【０００５】
一方、原稿３０２の画像を読み取る場合は、まず原稿３０２を原稿保持部材３０８に、原稿分離ローラ３０９と分離片３１３からなるくさび形状に突き当てた形でセットする。次に、この状態で画像読取命令に基づき回転する原稿分離ローラ３０９より、くさび形状に留められた原稿３０２のうち、原稿分離ローラ３０９と接する原稿のみを摩擦により分離搬送する。
【０００６】
次に、このように分離搬送された原稿３０２を、原稿給送ローラ３１０と、排紙ローラ３１２及びその対向コロ３１２ａに挟持させながら画像読取部に設けられた読取手段であるコンタクトイメージセンサ３１１の上方を通過させることにより、画像情報が読み取る。そして、このようにコンタクトイメージセンサ３１１により画像情報を読み取った後、原稿３０２を矢印Ａに示すように装置外へ排出する。
【０００７】
ところで、このような構成のファクシミリ装置において、小型化という市場の要望に応えるよう、例えば記録紙搬送路と原稿搬送路の一部を共通とすると共に、記録紙搬送に用いている搬送機構を原稿搬送機構としても兼ねるようにすることが考えられる。そして、このように構成することにより原稿搬送用に用いていた原稿給送ローラ３１０、排紙ローラ３１２及び駆動用モータ等を削除することができる。
【０００８】
【発明が解決しようとする課題】
ところが、このように搬送機構を共有化するようにしたファクシミリ装置（画像読取記録装置）は、小型化のみならず製造コストダウンも可能であるが、次のような問題がある。
【０００９】
例えば、画像が読み取られる際、原稿３０２が通過する読取搬送路Ｒ３は、原稿３０２を読み取るコンタクトイメージセンサ３１１と、コンタクトイメージセンサ３１１と対向して設けられる読取濃度基準としての白基準部材３１１ａとから構成されている。
【００１０】
一方、画像を記録する際、記録紙３０１が通過する記録搬送路Ｒ４は、インクカートリッジを走査方向に移動させるためのスペースが必要となるが、このようにインクカートリッジを走査方向に移動させる場合、インクカートリッジがコンタクトイメージセンサ３１１等に当接しないように構成する必要がある。
【００１１】
このため、記録紙搬送路と原稿搬送路の一部を共通とした共通搬送路においては、読取搬送路Ｒ３を記録搬送路Ｒ４の上流あるいは下流に配置する必要があり、このような位置に読取搬送路Ｒ３を配置するようにした場合には装置の小型化が不十分となる。
【００１２】
そこで、装置の小型化のため例えば、記録紙給送ローラ３０５及び排紙ローラ３０７間に設けられる記録搬送路Ｒ４の近傍に読取搬送路Ｒ３を配置するようにした場合には、読取画像品質を保つために、コンタクトイメージセンサ３１１の位置精度を高める必要がある。しかし、このようにコンタクトイメージセンサ３１１の位置精度を高めるためには部品精度を高くする必要があり、このため部品コストが高くなり、さらには組立性も複雑になるという問題が生じた。
【００１３】
本発明は、このような現状に鑑みてなされたものであり、装置の小型化が可能で、かつ低コストで組立性の良い画像読取記録装置を提供することを目的とするものである。
【００１４】
【課題を解決するための手段】
本発明は、原稿の画像を読み取る画像読取部と、シートに画像を記録する画像記録部と、前記原稿を前記画像読取部に搬送する原稿搬送路と、前記シートを前記画像記録部に搬送するシート搬送路と、前記原稿搬送路と前記シート搬送路の一部をそれぞれ形成する共通の搬送路とを備え、前記共通の搬送路において原稿画像の読み取り及び前記シートへの画像記録を行う画像読取記録装置であって、前記共通の搬送路に退避可能に設けられ、前記原稿の画像を読み取る前記画像読取部の画像読取手段と、前記画像読取手段を保持する保持部材と、前記保持部材と前記共通の搬送路との間に設けられ、前記画像読取手段が前記共通の搬送路から退避可能となるよう該保持部材を保持するヒンジ部と、前記保持部材及び前記共通の搬送路の一方に設けられた少なくとも３ヶ所の突起部と、前記保持部材及び共通の搬送路の他方に設けられ、前記少なくとも３ヶ所の突起部とそれぞれ係合する係合部とを有し、原稿画像を読み取る際、前記画像読取手段の前記共通の搬送路に対する位置決めを行う位置決め手段と、を備え、前記ヒンジ部を、前記画像読取手段が前記原稿画像の読み取りが可能な位置に移動する際、前記保持部材が前記少なくとも３ヶ所の突起部が前記係合部にそれぞれ係合するような姿勢となることができるように構成したことを特徴とするものである。
【００１５】
また本発明は、前記位置決め手段により前記画像読取手段は、原稿画像を読み取る際、前記共通の搬送路に前記原稿が通過する読取搬送路を形成し、かつ前記原稿画像の読み取りが可能な位置に位置決めされることを特徴とするものである。
【００１６】
また本発明は、前記位置決め手段により前記画像読取手段は、前記共通の搬送路の搬送方向の位置決めが行われることを特徴とするものである。
【００１７】
また本発明は、前記位置決め手段により前記画像読取手段は、前記共通の搬送路の搬送方向と直交する幅方向の位置決めが行われることを特徴とするものである。
【００１８】
また本発明は、前記位置決め手段により前記画像読取手段は、前記共通の搬送路の搬送方向の位置決め及び前記共通の搬送路の搬送方向と直交する幅方向の位置決めが行われることを特徴とするものである。
【００１９】
また本発明は、前記共通搬送路に、前記シートを前記画像記録部に、或は前記原稿を前記画像読取部に給送する共通の給送手段と、前記原稿或はシートを排出する共通の排紙手段とを配したことを特徴とするものである。
【００２０】
また本発明は、前記共通の搬送路に設けられ、前記シートに画像を記録する際には、前記画像記録部を通過するシートを支持する支持部材を備え、前記支持部材に前記突起部、或は係合部を設けたことを特徴とするものである。
【００２１】
また本発明は、前記画像記録部は、インクを吐出しながらシート搬送方向と直交する方向に移動して前記シートに画像を記録するインクジェット方式の画像記録手段を備えたものであることを特徴とするものである。
【００２２】
【発明の実施の形態】
以下、本発明の実施の形態について図面を用いて詳細に説明する。
【００２３】
ただし、この実施の形態に記載されている構成部品の寸法、材質、形状それらの相対配置などは、特に特定的な記載がない限りは、この発明の範囲をそれらのみに限定する趣旨のものではない。
【００２４】
図１は、本発明の第１の実施の形態に係る画像読取記録装置の一例であるファクシミリ装置の構成を示す断面図である。
【００２５】
同図において、１００はファクシミリ装置であり、このファクシミリ装置１００は、記録紙２に画像を記録する画像記録部１Ａを備えた画像記録装置部１０１と、原稿１２の画像を読み取る画像読取部２８を備えた画像読取装置部１０２と、記録紙２が通過する記録紙搬送路Ｒ１と、原稿１２が通過する原稿搬送路Ｒ２と、記録紙搬送路Ｒ１と原稿搬送路Ｒ２の搬送方向下流側に設けられた共通の搬送路４９とを備えている。なお、この共通の搬送路（以下、共通搬送路という）４９には原稿１２及び記録紙２を搬送する共通の給送手段である給送ローラ１０及び共通の排紙手段である排出ローラ１７が配されている。
【００２６】
次に、画像記録装置部１０１の構成について説明する。
【００２７】
画像記録装置部１０１は、後述する画像記録部１Ａの他、記録紙２を複数枚積載収納可能な記録紙給紙トレイ８、Ｄ字状の断面を有し、矢印Ａ方向に回転する記録紙分離ローラ１９、記録紙分離ローラ１９とベース部材３５との間に位置し、かつベース部材３５に回動自在に軸支された圧板９、分離爪３１等を備えている。
【００２８】
ここで、圧板９は記録紙分離ローラ１９に一体に形成された不図示のカムにより、記録紙分離ローラ１９の回転に伴って軸９ａを支点として上下方向に回動し、記録紙２を記録紙分離ローラ１９の外周面に接触、或は離間させるように構成されたものである。
【００２９】
また、分離爪３１は、記録紙給紙トレイ８に積載された記録紙２をせき止めるものである。なお、記録紙分離ローラ１９が回転すると、記録紙分離ローラ１９に接触した最上位の記録紙２ａは、記録紙分離ローラと１９の摩擦により分離爪３１を乗り越えて搬送されるようになっている。
【００３０】
記録紙分離ローラ１９はプラスチックで成型された軸部材に２箇所の軸より大径に形成された円筒部に摩擦弾性体である、例えばゴムを取付けて構成されると共に、図２に示すように軸部材１９ｃの両端部はベース部材３５の両側部３５ａ，３５ｂに軸支され、その一端は図示しない駆動伝達手段を経て図３に示す駆動モータ２０に連結されている。
【００３１】
また、この記録紙分離ローラ１９は、待機状態のときには図４に示すようにＤ字状の切り欠き部１９Ａが記録紙２と対向するように停止し、後述する原稿１２を共通搬送路４９にガイドする原稿下ガイド部材２３との間に原稿１２を通過させるための隙間Ｇを形成するようになっている。なお、記録紙２を搬送する場合は、回転して円周部分１９Ｂが原稿下ガイド部材２３に形成された切り欠き５０（図２参照）を超えて原稿下ガイド部材２３の下方に突出し、圧板９に載置された記録紙束の最上位の記録紙２ａに当接するようになっている。
【００３２】
さらに、この記録紙分離ローラ１９は１回転した後、再び切り欠き部１９Ａが記録紙２と対向し、かつカムによって圧板９を押し下げた待機状態に戻る。これにより、給送ローラ１０が最上位の記録紙２ａを搬送中に、２枚目以降の記録紙２が記録紙分離ローラ１９と接することはなく、安定した記録紙２の搬送を行うことが可能となる。
【００３３】
なお、記録紙分離ローラ１９の下流には図１に示すように記録紙２（或は原稿１２）の搬送を検知するためのＰＥＳ（Ｐａｐｅｒ  Ｅｄｇｅ  Ｓｅｎｓｏｒ）２１が設けられており、給紙動作を開始してもＰＥＳ２１が記録紙２（或は原稿１２）の通過を検知しなければ再給紙動作を行い、それでもＰＥＳ２１が記録紙２（或は原稿１２）の通過を検知しない場合には搬送動作はエラーストップし、図示しない操作パネル等にエラー表示が表示されるようになっている。
【００３４】
一方、記録紙分離ローラ１９により送り出された記録紙２が通過する記録搬送路Ｒ１の搬送方向下流側に設けられた共通搬送路４９は、図５に示すように記録紙２を搬送するための支持面として機能するプラテン３と、プラテン３の下流に設けられ、プラテン３に続いて記録紙２の下側の支持面として機能する補助プラテン部材３ａを備えている。
【００３５】
ここで、プラテン３の記録紙支持面には、図２に示すように記録紙幅方向に複数のリブ３８が形成されており、記録紙搬送の際には、これら複数のリブ３８の上面を記録紙２が通過するようになっている。
【００３６】
また、支持部材であるプラテン３と共に記録紙２を支持する支持部を構成する所定の支持部材である補助プラテン部材３ａはプラテン３の記録紙支持面に形成された不図示の凹部に配置され、両側面の記録紙搬送方向上流側に形成された図５に示す軸３ａ１を介してプラテン３に上下方向に回動自在に保持されると共に、通常は例えばバネ５８により弾性的に付勢され、上面の記録紙支持面がプラテン３の上面にて構成される記録紙支持面と同一平面になる位置に保持されている。
【００３７】
なお、この補助プラテン部材３ａは、後述するようにＣＳホルダ２６等によってバネ５８の付勢力を超えて上方より押された場合は、プラテン３の記録紙支持面に対して５ミリ程度沈み込む方向に回動するようになっている。
【００３８】
さらに、この共通搬送路４９は、図１及び図２に示すように、プラテン３に軸支された給送ローラ１０と、プラスチックとエラストマーを一体で成型した排紙ローラ１７の他、給送ローラ１０に当接している記録紙幅方向に併設された４つのピンチローラ１６と、給送ローラ１０にピンチローラ１６を圧接させるようにピンチローラ１６を軸支するピンチローラガイド３６と、排紙ローラ１７に当接している複数の拍車１８と、拍車１８を排紙ローラ１７に圧接するように軸支する不図示の拍車ホルダとを備えている。
【００３９】
ここで、給送ローラ１０とピンチローラ１６による記録紙２の搬送方向は、ローラ上流側から下流側に向けて斜め下方向となるように設定されており、また排紙ローラ１７と拍車１８による記録紙２の搬送方向はローラ上流側から下流側に向けて斜め上方向となるように設定されている。これにより共通搬送路４９において、記録紙２はプラテン３及び補助プラテン部材３ａの上面に当接しながらＰ方向へ搬送されるようになる。
【００４０】
なお、給送ローラ１０とピンチローラ１６で発生する記録紙搬送力Ｆは、図４に示す原稿下ガイド部材２３の裏面と記録紙２との摩擦抵抗力を無視できるほどの大きさであるが、記録紙送り精度に影響が出る場合は、原稿下ガイド部材２３の裏面に高分子シート等の低摩擦部材を貼付してもよい。
【００４１】
また、図１及び図２において、１は画像記録手段であるインクカートリッジであり、給送ローラ１０もしくは排紙ローラ１７で搬送された被記録材にインク像を記録する画像記録部１Ａは、このインクカートリッジ１からインクを吐出して記録するインクジェット記録方式のものである。なお、このインクカートリッジ１は微細な液体吐出口（オリフィス）、液路及びこの液路の一部に設けられるエネルギー作用部と、作用部にある液体に作用させる液滴形成エネルギーを発生するエネルギー発生手段とを備えたものである。
【００４２】
４はインクジェットカートリッジ１を搭載して記録紙２の搬送方向と直交する幅方向に走査するキャリッジであり、このキャリッジ４には、図６に示すようにプーリ５に掛け渡された無端ベルト状のタイミングベルト６が連結しており、プーリ５を図３に示すキャリッジ駆動モータ３３によって回転駆動させることで、キャリッジ４をシャーシ２４の上部に設けられたガイドレール７に沿って往復移動させることができるようになっている。そして、このようにキャリッジ４が往復移動する際、インクジェットカートリッジ１から画像情報に応じてインクを吐出することにより記録紙２に画像が記録される。
【００４３】
ところで、このキャリッジ４は通常、図７に示すガイドレール７の一端（右端）の待機位置で待機しており、このような待機位置にキャリッジ４があるとき、インクジェットカートリッジ１の不図示の印字ヘッドは、乾燥しないよう不図示のゴム部材で保護されている。また、後述する原稿画像読取動作時においても、キャリッジ４は待機位置で留まっている。さらに、インクカートリッジ１のインクが無くなった場合にも、同図に示す位置でインクカートリッジ１を手前側に取り外すことで交換を行うようにしている。
【００４４】
次に、このように構成された画像記録装置部１０１の画像記録動作について説明する。
【００４５】
不図示の外部機器から画像信号が入力されると、記録紙分離ローラ１９が回転し、これに伴い記録紙分離ローラ１９に一体に形成された不図示のカムの作用により圧板９が上昇し、記録紙分離ローラ１９の外周面に記録紙２が接触する。これにより、記録紙分離ローラ１９に接触した記録紙給紙トレイ８の最上位の記録紙２ａが、記録紙分離ローラ１９との摩擦により分離爪３１を乗り越えて共通搬送路４９に搬送される。
【００４６】
次に、このように共通搬送路４９に搬送された記録紙２ａは、プラテン３に軸支された給送ローラ１０と４つのピンチローラ１６とにより挟持され、プラテン３と補助プラテン部材３ａとにより構成される支持部の上面である記録紙支持面を通過する。
【００４７】
そして、このように記録紙支持面を通過する際、記録紙２ａの幅方向に走査（往復移動）するキャリッジ４に搭載されたインクジェットカートリッジ１から画像情報に応じてインクが吐出されることにより記録紙上に画像が記録される。なお、このように画像が記録された後、記録紙２ａは、排紙ローラ１７により矢印Ｐに示すように装置外へ排出される。
【００４８】
なお、本実施の形態において、記録紙２の印字動作は、図２におけるベース部材３５の一側部（右側部）３５ｂを記録基準としている。また、この一側部３５ｂから近い、例えば一側部３５ｂから約４３ｍｍ離れた位置に第１の記録紙分離ローラ１９ａを配置し、第２の記録紙分離ローラ１９ｂは原稿分離ローラ１５を挟むように一側部３５ｂより約１８９ｍｍ離れた位置に配置している。そして、このように第１及び第２の記録紙分離ローラ１９ａ，１９ｂを配置することにより、ハガキからＡ４まで幅広いサイズの記録紙２に対応することが可能となっている。
【００４９】
次に、画像読取装置部１０２について説明する。
【００５０】
画像読取装置部１０２は、後述する画像読取部２８の他、図１に示すように原稿１２を複数枚収納可能な原稿トレイ１１、矢印方向に回転することで原稿トレイ１１にセットされた原稿１２を搬送する原稿分離ローラ１５等を備えている。
【００５１】
ここで、この原稿分離ローラ１５は金属で成形された軸部材に円筒状の摩擦弾性部材を取付けられて成形されたものであり、図２に示すようにベース部材３５の両側部３５ａ，３５ｂに回転自在に軸支されている。そして、この原稿分離ローラ１５の軸１５ａの一端は不図示の読取駆動伝達手段及び駆動切替手段を介して駆動モータ２０（図３参照）に連結されている。
【００５２】
なお、この駆動切替手段は、不図示の制御手段により切り替えられて、画像記録動作の場合には、駆動モータ２０の駆動を記録駆動伝達手段に伝達して記録紙分離ローラ１９を駆動し、画像読取動作の場合には駆動モータ２０の駆動を、読取駆動伝達手段を介して原稿分離ローラ１５及び画像読取部２８に伝達するようになっている。
【００５３】
ところで、この原稿分離ローラ１５は、シート幅方向でみると図８に示すように記録紙分離ローラ１９（１９ａ，１９ｂ）の間に配置されている。そして、このような位置に原稿分離ローラ１５を配置することにより、図４に示すように断面方向で原稿分離ローラ１９とのオーバーラップが可能となり、この結果、ファクシミリ装置１００を小型化することができる。また、原稿分離ローラ１５を原稿幅方向の略中央に配置することにより、原稿１２の斜行を軽減することができる。
【００５４】
なお、図４において、１３は不図示の分離バネにより原稿分離ローラ１５に圧接している分離片であり、この分離片１３はゴムなどの摩擦係数の高い材料で形成されると共に、原稿分離ローラ１５により送り出された原稿１２を共通搬送路４９に向わせるための原稿下ガイド部材２３に回動可能に軸支される分離片支持部材３７に保持されている。また、２７は原稿分離ローラ１５へ原稿１２を押し付けることにより原稿分離の補助的動作を行う原稿搬送補助部材である。
【００５５】
そして、原稿トレイ１１に原稿１２がセットされると、原稿１２は先端が分離片１３と原稿分離ローラ１５により構成されるくさび形状で留まるようになり、この後、原稿分離ローラ１５が回転すると、くさび形状に留められた原稿１２のうち、最も上部の原稿１２ａのみが原稿分離ローラ１５との摩擦により搬送される。なお、原稿トレイ１１には図９に示すように原稿１２の斜行を防止するための原稿スライダ３０が原稿の幅に合わせて移動可能に設けられている。
【００５６】
画像読取部２８は、図１０に示すように給送ローラ１０と排紙ローラ１７との間で、かつキャリッジ１の移動経路内においてプラテン３に対向するように配置され、搬送される原稿１２の上面を読取るようになっており、このように画像読取部２８をキャリッジ１の移動経路内に設けることによりファクシミリ装置１００の小型化を図ることができる。
【００５７】
ここで、この読取部２８は、画像読取手段であるコンタクトイメージセンサ２２と、コンタクトイメージセンサ（以下、ＣＳという）２２を保持する保持部材であるＣＳホルダ２６と、ＣＳホルダ２６にＣＳ２２に対向した状態で保持される白基準部材２５とを備えている。
【００５８】
なお、ＣＳ２２はＣＳホルダ２６に成形された凹部にセンサ面が外側になるように収容され、不図示のネジ（締結部材）にて固定されている。また、白基準部材２５は白色のシートを金属板に取付けて形成されたものであり、この金属板は白色シートを取付ける平面と、長手方向両端部に形成された折曲部とを備えている。
【００５９】
そして、この両折曲部には穴が形成されており、この穴にＣＳホルダ２６に形成された軸を係合することで、白基準部材２５をＣＳホルダ２６及びＣＳ２２に対して回動可能に支持している。なお、この白基準部材２５は、不図示のねじりコイルバネによりＣＳ側に付勢されている。
【００６０】
また、この白基準部材２５は原稿幅方向の外側に、ＣＳ２２に対して付勢された状態でＣＳ２２に当接する不図示の突起を有しており、この突起によりＣＳ２２のセンサ面と白基準部材２５の白色シートの間に少なくとも１枚の原稿が通過できる隙間Ｇ１（読取搬送路）を形成するようにしている。
【００６１】
ところで、このＣＳ２２と共に読取搬送路を形成する通路部材である白基準部材２５は、ねじりコイルバネによって付勢されて図１０に示す１枚の原稿が通過できる隙間Ｇ１を形成する通常ポジションと、ねじりコイルバネに抗して白基準部材２５をＣＳ２２から離間させる方向に回動させた図３に示す清掃ポジションを取ることが可能となっている。
【００６２】
そして、記録部１Ａのインクによって白基準部材２５の白色シートあるいはＣＳ２２の読取面が汚れた場合には、この白基準部材２５を清掃ポジションに移動させることにより、ユーザは汚れた部分を簡単に清掃することができる。
【００６３】
なお、ＣＳホルダ２６の長手方向の一方の側壁面には中空のボス４２１が形成されており、この中空ボス４２１に、図２に示すプラテン３に取付けられたＣＳホルダ支持部材６８に成形されたボス４３１が係合し、ＣＳホルダ２６の他方の側壁面に成形されたボス４２２にはプラテン３に成形された軸受部４３２が係合している。
【００６４】
そして、ＣＳホルダ２６は、これらボス４２１，４２２及びプラテン側に設けられたボス４３１及び軸受部４３２により構成されるヒンジ部である係合部により上下方向に回動自在に保持されている。
【００６５】
ここで、これら左右の係合部は同軸上にあり、これによりＣＳホルダ２６は図５及び図６に示す画像記録の際、キャリッジ４が走査方向に移動したとき、キャリッジ４に接触しない第１のポジション（待機位置）から、図１、図１０及び図１１に示すキャリッジ４の移動空間内であってＣＳ２２の読取面と白基準部材２５との隙間で形成される原稿読取搬送路と、プラテン３により構成される記録紙支持面とが同一面となる第２のポジション（読取位置）に移動できるようになっている。
【００６６】
さらに、排出方向から見たときにインクカートリッジ１が、キャリッジ移動範囲内の一端（右端）のキャッピングポジション（図７参照）にある状態で、ＣＳホルダ２６が第２のポジションに移動できるようにＣＳホルダ２６の左右方向の位置が設計されている。
【００６７】
また、白基準部材２５の金属板の原稿搬送方向上流側はくし歯形状になっており、くし歯の歯と歯の間にプラテンのリブ３８が入るようになっており、また白基準部材２５の金属板の原稿搬送方向下流側には、長手方向の強度を強くするための曲げ部が形成されている。
【００６８】
そして、ＣＳホルダ２６が第２のポジションに移動する際、この曲げ部が既述したように回動可能に支持された補助プラテン部材３ａを押し下げることにより、ＣＳホルダ２６は第２のポジションに移動することができるようになっている。これにより、原稿読取時、給送ローラ１０と排紙ローラ１７の間の、白基準部材２５とＣＳ２２により形成される読取搬送路とプラテン３により構成される記録紙支持面とが同一面となる。
【００６９】
ここで、ＣＳホルダ２６が第２のポジションに移動したとき、図１０に示すＣＳホルダ２６に設けられた突起４０１，４０２がプラテン３の上面に設けられた位置決め部４１１，４１２に係合するようになっており、これによりＣＳホルダ２６は第２のポジションに保持される。
【００７０】
また、ＣＳホルダ２６の一端部（幅方向左側端部）には図７に示す駆動切替手段５２及びＣＳ駆動伝達手段７３を介して駆動モータ２０に連結されたＣＳ駆動手段７４が配置されており、このＣＳ駆動手段７４を介して駆動モータ２０の駆動によりＣＳホルダ２６を第１のポジションあるいは第２のポジションへ移動させることができるようになっている。
【００７１】
なお、本実施の形態においては、白基準部材２５により補助プラテン部材３ａを押し下げるようにしているが、ＣＳホルダ２６の原稿幅よりも外側部分により補助プラテン部材３ａを押し下げる構成でも良く、ＣＳ２２の一部が直接、補助プラテン部材３ａと当接し、補助プラテン部材３ａを押し下げる構成としても良い。
【００７２】
ところで、図４において、１４は短冊状に成形された原稿上ガイド部材であり、この原稿上ガイド部材１４は搬送上流側が原稿分離ローラ１５の軸１５ａに軸支されると共に、下流側は原稿１２によって押された時に記録紙分離ローラ１９の軸部材１９ｃと上面１４ａが当接するようになっている。
【００７３】
そして、このように上面１４ａを記録紙分離ローラ１９の軸部材１９ｃに当接させることにより、記録紙分離ローラ１９の摩擦弾性体よりも原稿上ガイド部材１４のガイド面を原稿側に位置させることができ、これにより、原稿１２を送り出す際、原稿１２が記録紙分離ローラ１９の摩擦弾性体に接触し、搬送不良になるのを防止することができる。
【００７４】
次に、このように構成された画像読取装置部１０２の読取動作について説明する。
【００７５】
原稿トレイ１１に原稿１２がセットされた状態で読取動作が開始されると、まず不図示の制御手段により駆動切替手段を切り替えることによって駆動モータ２０の駆動を不図示の読取駆動伝達手段を介して原稿分離ローラ１５に伝達する。これにより、原稿分離ローラ１５が矢印方向に回転し、このように回転する原稿分離ローラ１５と分離片１３とにより、原稿トレイ１１にセットされた原稿１２が１枚ずつ分離して送り出される。
【００７６】
また、このように原稿分離ローラ１５を回転させると共にＣＳ駆動伝達手段７３を介してＣＳ駆動手段７４を作動させ、装置スタンバイ状態において不図示のねじりコイルバネ（弾性部材）によって反時計方向に付勢され、図５に示すように第１のポジション（待機位置）に保持されているＣＳホルダ２６を矢印方向に回動させる。
【００７７】
なお、本実施の形態においては、読取駆動伝達手段とＣＳ駆動伝達手段７３のギア比及びローラ径を調節することで、原稿１２が給送ローラ１０に到達する前にＣＳホルダが第２のポジションに移動するように設定されている。
【００７８】
そして、このようにＣＳホルダ２６が第２のポジションに移動すると、ＣＳ駆動手段７４とＣＳ駆動伝達手段７３を連結しているクラッチが切れてＣＳホルダ２６は停止する。同時に、白基準部材２５（或いはＣＳホルダ２６又はＣＳ２２）が補助プラテン部材３ａを押し下げることにより、給送ローラ１０と排紙ローラ１７の間に、プラテン３により構成される記録紙支持面と同一面状の読取搬送路が形成される。
【００７９】
次に、１枚ずつ分離して送り出された原稿１２は、下面を原稿下ガイド部材２３に支持されつつ、記録紙２と同様、ＰＥＳ２１へ向かい搬送される。この時、既述したように記録紙分離ローラ１９の回転方向の位相は初期状態となっており、記録分離ローラ１９のＤ字状の切り欠き部１９Ａと原稿下ガイド部材２３の間には原稿１枚を通紙するために十分な間隙Ｇが生じている（図４参照）。
【００８０】
これにより、原稿１２はＰＥＳ２１を超え、記録紙２と同様給送ローラ１０とピンチローラ１６によって挟持搬送され、ＣＳ２２と白基準部材２５とにより形成された読取搬送路を通過すると共に、この通過の際にＣＳ２２によって画像データを読み取られる。そして、原稿１２の最後端が読取られると、排紙ローラ１７により装置外に排出される。
【００８１】
なお、このように原稿１２が排出されると、駆動モータ２０が逆転し、これによりＣＳ駆動手段７４とＣＳ駆動伝達手段７３がクラッチにより連結され、ＣＳホルダ２６は第１のポジションに移動し、駆動切替手段５２を解除する。また、このＣＳホルダ２６の第１のポジションへの移動に伴い補助プラテン部材３ａがバネ５８の付勢力により上方に押し上げられ、これにより補助プラテン部材３ａの記録紙支持面とプラテン３の記録紙支持面とにより同一平面状の記録紙支持面が形成される。
【００８２】
このように、共通搬送路４９に記録紙２を支持する支持部を構成する補助プラテン部材３ａを退避可能に設け、原稿画像を読み取る際にはＣＳホルダ２６（に保持されたＣＳ２２）を、補助プラテン部材３ａを共通搬送路４９から退避させながら、共通搬送路４９に原稿搬送路を形成し、かつ原稿画像の読み取りが可能な位置に移動させるようにすることにより、装置の小型化と記録及び読取り精度を維持しながら、画像読取部２８のインクによる汚れを防止することができる。
【００８３】
また、既述したように分離された記録紙２及び原稿１２を共通の給送ローラ１０及び排紙ローラ１７により搬送することにより、読取用駆動モータや原稿搬送用機構を別途設ける必要がなく、コストダウンが実現されるとともに装置全体の小型化を図ることができる。
【００８４】
さらに、小型化、ランニングコストなどの面で有利なインクジェット記録方式を用いた構成の画像記録部１Ａを採用した場合でも、本実施の形態のように、画像記録動作時には、ＣＳ２２を共通搬送路４９から退避させるようにすることにより、記録動作時のインクミスト及びインク漏れによる汚れを防ぐことができると共に、レイアウト上の制限が少なくなり、設計時の自由度を増すことができる。
【００８５】
またさらに、画像記録動作時には、ＣＳ２２を共通搬送路４９から退避させるようにすることにより、画像記録部１Ａにおいて記録紙ジャム等が生じても未定着インクがＣＳ２２の読取面もしくは白基準部材２５に付着するというトラブルの発生を防ぐことができる。また、ＣＳ２２の読取面を白基準部材２５により覆うようにすることにより、ＣＳ２２の読取面のインクミストによる汚れを大幅に軽減することができる。
【００８６】
ところで、本実施の形態において、既述した共通搬送路４９（プラテン３）とＣＳホルダ２６との間に設けられたヒンジ部である図２及び図１０に示す左右の係合部を構成する中空ボス４２１とボス４３１、ボス４２２と軸受部４３２には、各々ボスの半径方向、或は装置幅方向に０．５ｍｍ程度のガタを設けてある。そして、このようなガタを設けることにより、ＣＳホルダ２６は左右の係合部においてボスの半径方向、或は装置幅方向に移動することができる。
【００８７】
したがって、ＣＳホルダ２６が第２のポジション（読取位置）にある時、ＣＳホルダ２６の左右のボス４２１，４２２がＣＳホルダ支持部材６８のボス４３１とプラテン３の軸受け部４３２によって位置決めされることはない。
【００８８】
このため、第２のポジションにあるＣＳホルダ２６の位置決めを行うように本実施の形態においては、図１０及び図１２に示すように、ＣＳホルダ２６に３つの突起部である位置決めボス４０１〜４０３が設けられ、プラテン３にはＣＳホルダ２６が、図１２の２６ａで示す第２のポジションにある場合に、位置決めボス４０１〜４０３とそれぞれ係合する係合部である位置決め凹部４１１，４１２及び受け面４１３が設けられている。
【００８９】
ここで、ＣＳホルダ２６の位置決めボス４０１〜４０３は先端が半球状のボスであり、それぞれ直径及び高さが規定されている。また、位置決めボス４０１と勘合するプラテン３の凹部４１１は、図１３の（ａ）に示すように深さも規定された丸穴であり、位置決めボス４０２と勘合するプラテン３の凹部４１２は図１３の（ｂ）に示すように原稿搬送方向Ｐと直交するＹ方向に延びた深さも規定された長丸穴である。
【００９０】
従って、ＣＳホルダ２６の原稿搬送方向Ｐ（Ｘ方向）と直角方向（Ｙ方向）の位置決めは位置決めボス４０１，４０２と凹部４１１，４１２とにより、また原稿搬送方向の垂直方向（Ｚ方向）の位置決めは、位置決めボス４０１〜４０３と、凹部４１１，４１２及び受け面４１３とにより構成される位置決め手段によって行われる。
【００９１】
ここで、既述したように係合部においては、ＣＳホルダ２６をボスの半径方向、或は装置幅方向に移動することができるようにしているので、ＣＳホルダ２６が第２のポジションに移動した際、ＣＳホルダ２６が位置決めボス４０１〜４０３と、凹部４１１，４１２及び受け面４１３とがそれぞれ係合するような姿勢となることができる。これにより、簡単にＣＳホルダ２６の位置決めを行うことができる。
【００９２】
このように、ＣＳホルダ２６（ＣＳ２２）が、既述した原稿画像の読み取りが可能な位置に移動する際、ＣＳホルダ２６が、位置決めボス４０１〜４０３が凹部４１１，４１２及び受け面４１３にそれぞれ係合するような姿勢となることができるように構成することにより、簡単にＣＳホルダ２６、即ちＣＳ２２の位置決めを行うことができる。
【００９３】
また、ＣＳホルダ２６が第２のポジションにある時には、ＣＳホルダ２６とプラテン３（共通搬送路４９）とが３ヶ所で係合することにより、ＣＳ２２の共通搬送路４９の搬送方向（Ｘ方向）及び幅方向（Ｙ方向）の位置決めがなされるように構成したので、ＣＳホルダ２６（ＣＳ２２）の位置精度を高めることなく、読取画像領域を高精度に保つことができる。
【００９４】
そして、このようにＣＳホルダ２６（ＣＳ２２）の位置精度を高めることなく、読取画像領域を高精度に保つことができるようにすることにより、ラフな部品精度で原稿の画像情報を読取る領域を定めることができるようになり、この結果、組立性の良い、低コストのファクシミリ装置１００を提供することができる。
【００９５】
なお、これまでの説明では、凹部４１１の形状を丸穴としたが（図１３参照）、本発明は、これに限らず、例えばＣＳホルダ２６の左右ボス４２１，４２２のＹ方向寸法とＣＳホルダ支持部材６８のボス４３１とプラテン３の左のボス４３２のＹ方向寸法を規定するようにすれば、凹部４１１の形状を凹部４１２と同じ長丸穴とすることもできる。
【００９６】
また、これまでの説明においては、位置決め手段を３つの係合部により構成した場合について述べてきたが、本発明は、これに限らず４つ以上の係合部により構成するようにしても良い。
【００９７】
また、これまではＣＳホルダ２６に突起部を、プラテン３に係合部を設けた場合について述べてきたが、本発明はこれに限らず、ＣＳホルダ２６に係合部を、プラテン３に突起部を設けるようにしても良い。さらに、これまでの説明においては、記録紙２を支持する支持部を補助プラテン部材３ａとプラテン３とにより形成する場合について述べてきたが、本発明はこれに限らず、プラテン３のみにて支持部を構成するようにしても良い。
【００９８】
【発明の効果】
以上説明したように本発明のように、画像読取手段を保持し、この画像読取手段が共通の搬送路から退避可能となるよう保持部材を保持するヒンジ部を、画像読取手段が原稿画像の読み取りが可能な位置に移動する際、保持部材が、少なくとも３ヶ所の突起部が係合部にそれぞれ係合するような姿勢となることができるように構成することにより、簡単に画像読取手段の位置決めを行うことができる。これにより、装置の小型化が可能で、かつ低コストで組立性の良い画像読取記録装置を提供することができる。
【図面の簡単な説明】
【図１】本発明の第１の実施の形態に係る画像読取記録装置の一例であるファクシミリ装置の構成を示す断面図。
【図２】上記ファクシミリ装置における記録紙及び原稿の給紙系の構成を説明する斜視図。
【図３】上記ファクシミリ装置におけるモータの配置及び離間状態の白基準部材を示す斜視図。
【図４】上記ファクシミリ装置における給紙部及び分離部の構成を示す断面図。
【図５】上記ファクシミリ装置における画像記録動作時の全体構成を説明する断面図。
【図６】上記ファクシミリ装置の画像記録動作時における画像読取部の位置と記録紙の流れを示す斜視図。
【図７】上記ファクシミリ装置の画像読取動作時におけるの画像記録部の位置を示す斜視図。
【図８】上記ファクシミリ装置における記録紙及び原稿の流れを示す斜視図。
【図９】上記ファクシミリ装置の原稿保持部の構成を説明する斜視図。
【図１０】上記ファクシミリ装置における読取部を通過する原稿の搬送経路を示す図。
【図１１】上記ファクシミリ装置における画像読取動作時の画像読取部の位置と原稿の流れを示す斜視図。
【図１２】上記ファクシミリ装置における位置決め手段の構成を説明する図。
【図１３】上記ファクシミリ装置の位置決め手段の構成を説明する拡大図。
【図１４】従来のファクシミリ装置の概略構成を示す図。
【符号の説明】
１          インクカートリッジ
１Ａ        画像記録部
２          記録紙
３          プラテン
１０        給送ローラ
１２        原稿
１７        排出ローラ
２０        駆動モータ
２２        コンタクトイメージセンサ
２６        ＣＳホルダ
２８        画像読取部
４９        共通搬送路
１００      ファクシミリ装置
４２１      中空ボス
４３１      ボス
４２２      ボス
４３２      軸受部
４０１〜４０３  位置決めボス
４１１，４１２  位置決め凹部
４１３      受け面
【図１】
2004180146.tif 000003
【図２】
2004180146.tif 000004
【図３】
2004180146.tif 000005
【図４】
2004180146.tif 000006
【図５】
2004180146.tif 000007
【図６】
2004180146.tif 000008
【図７】
2004180146.tif 000009
【図８】
2004180146.tif 000010
【図９】
2004180146.tif 000011
【図１０】
2004180146.tif 000012
【図１１】
2004180146.tif 000013
【図１２】
2004180146.tif 000014
【図１３】
2004180146.tif 000015
【図１４】
2004180146.tif 000016